(57)【要約】      （修正有）【課題】使用後に清掃及び滅菌できる蒸気理学療法設備の構造を提供する。【解決手段】理学療法室で構成する蒸理学療法室１０であって、円形に設置した蒸気ライン４１及び蒸気発生器を外付けする台座２０、及び台座の上方に組み立てる筒本体３０であり、筒本体の中部に開閉できるドアパネルを設け、筒本体の上部は斜面の形状に成型し、ユーザーの頭部が開口３４より出すことができる。また、筒本体の上部３３、中部３１、台座の内壁は、鉱石ボードを埋め込み、筒本体の上部、中部、台座の内壁は、対となるスロットプレート３５を設け、スロットプレートの間に、鉱石ボード５０を埋め込み、複数の鉱石ボードは、筒本体内の上部、中部、台座の形態に合わせて規格化し、各鉱石ボードには複数個の隣接するハニカムトラフを設け、各相隣するハニカムトラフの各中隔リブは、貫通孔を設ける。鉱石泥を注入する際、複数の貫通孔が互いに流通し、互いの構造を繋げて固結し、互いに牽制し牢固とした。【選択図】図７
0003232850.tif 000002
【実用新案登録請求の範囲】
【請求項１】
理学療法室を含み、
ユーザーが入られる筒状の理学療法室に含まれるのは、円形に設置した蒸気ライン及び蒸気発生器を外付けする台座、及び台座の上方に組み立てる筒本体であり、該筒本体の中部に開閉できるドアパネルを設け、且つ該筒本体の上部は、上部と繋がるよう、斜面の形状に成型することで、ユーザーの頭部が開口より出すことができ、また、前述の該筒本体の上部、中部、台座の内壁は、鉱石ボードを埋め込み、
それにより蒸気理学療法設備の基本機能の骨組みを構成し、前述の該筒本体の上部、中部、台座の内壁は、複数の対となるスロットプレートを企画して設けることで、スロットプレートの間に、鉱石ボードを埋め込み、該複数の鉱石ボードは、筒本体内の上部、中部、台座の形態に合わせて規格化して作るものであり、各一つの鉱石ボードには、複数個の隣接するハニカムトラフを企画して設け、各相隣するハニカムトラフの各中隔リブは、いずれも貫通孔を設け、それにより鉱石泥を注入する際、該複数の貫通孔が互いに流通し、互いの構造を繋げて固結する作用を得るため、構造が互いに牽制し、牢固としたものとなることを特徴とする蒸気理学療法設備の構造。
【請求項２】
前記筒本体の上部開口に、別途に構成される乾燥式滅菌セットを覆設し、該乾燥式滅菌セット内部に設けた紫外線滅菌ランプ、熱風排出口、外輪ループ回収エリア設備を介して乾燥滅菌を行ない、前記蒸気理学療法設備を使用したあと、理学療法室全体の内部を紫外線、熱風滅菌及び乾燥を行うことができることを特徴とする請求項１記載の蒸気理学療法設備の構造。
【請求項３】
前記鉱石ボードは一つの特定部位のハニカムトラフを保留して鉱石泥を注入せず、該ハニカムトラフの各中隔リブは、該相隣するハニカムトラフの中隔リブの間は、貫通孔を設置せず、該ハニカムトラフは商標表示エリアとして商標を表示できることを特徴とする請求項１記載の蒸気理学療法設備の構造。
【請求項４】
前記台座は一つのハンドルをつけたペダルシートを設置することを特徴とする請求項１記載の蒸気理学療法設備の改良構造。
【請求項５】
前記台座内部に円形に設置した蒸気ラインを配置し、該蒸気ラインは複数個の内輪蒸気出口及び複数個の外輪蒸気出口を設けることを特徴とする請求項１記載の蒸気理学療法設備の構造。
【請求項６】
前記台座は高さを調整できるスタンドを設けることで、安定して支えることができることを特徴とする請求項１記載の蒸気理学療法設備の構造。
【考案の詳細な説明】
【技術分野】
【０００１】
本考案は蒸気理学療法設備の改良された構造に関し、特に構造の組成を通じ、理学療法設備を使用後、内壁の鉱石ボードを分解して清掃或いは太陽に当てて滅菌することができる。また、別途に製造する乾燥式滅菌セットと合わせ、乾燥式滅菌セット内部にある紫外線滅菌ランプ、熱風排出口、外輪ループ回収エリア設備を介し、紫外線、熱風滅菌及び乾燥を行うことで、使用上の衛生及び安全を維持する蒸気理学療法設備の構造に関する。
【背景技術】
【０００２】
現代人は飲食の習慣及び運動不足の影響により、体の新陳代謝機能が悪くなっている。体内に蓄積する多くの毒素が、慢性病を引き起こし、著しく体の健康を脅かしている。体の代謝機能を改善するために、公知の特許申請案Ｍ４５６１９９号「蒸気理学療法装置」などの設備を開発する業者がいる。蒸気の作用を通じて、人体の発熱、発汗を促すことで、新陳代謝の効果を上げ、体内に蓄積する毒素を素早く体外に排出し、体の機能を改善する。
【０００３】
前記公知の特許公報の蒸気理学療法装置の構造は、主に一つの理学療法室、一つの蒸気発生装置及び蒸気発生装置にて発生した蒸気を理学療法室内に送る輸送ラインを含む。該理学療法室は上端に開口を具有する筒状を呈し、且つ該内壁面には複数個のトルマリンパッチを設置する。該理学療法室内の底部に前記の輸送ラインと連通する蒸気導入ライン及び一つのデフレクターを設置し、該デフレクターは該導入ラインの上方を覆う。
該蒸気導入ラインは二つの水平に筒底辺の縁にある蒸気出口の近くまで延び、該二つの蒸気出口の方向と相反することで、蒸気が渦を巻くように理学療法室の内壁面に沿って上昇し、理学療法室の内壁面に設置するトルマリンパッチを加熱する。前記トルマリンパッチに熱を加えると、遠赤外線及びマイナスイオンを放出する。前記マイナスイオンは遠赤外線の浸透力と共に人体の奥に入るため、人体内の活性酸素及びフリーラジカルを減らし、体内の奥深い部分の汗を体外に流れ出させる。
【０００４】
ただ、この類の蒸気理学療法装置は、蒸気とトルマリンパッチを合わせた作用を利用し、ユーザーが大量に汗をかくことで、新陳代謝のデトックス効果を促しているため、使用後、ユーザーの汗、体液及び匂いが筒内に残り、衛生面安全面に憂いが残ることを避けられず、使用後の掃除及び手入れが格別に重要となる。しかし、トルマリンパッチを理学療法室の内壁全体に直接貼るため、取り外して清掃することができず、拭く或いはブラシをかけて洗うことしかできないため、効果が限られる。
また、頻繁に拭くと、トルマリンパッチが剥がれる憂いがあるほか、拭く、ブラシを掛けるだけでは、乾燥して滅菌処理していないため、細菌が増えやすくなり、使用時の衛生面及び安全面に著しく影響を及ぼすため、更なる改善が必要であった。
【先行技術文献】
【特許文献】
【０００５】
【特許文献１】台湾特許Ｍ４５６１９９号公報
【特許文献２】特開２０２０−１４６１５９号公報
【考案の概要】
【考案が解決しようとする課題】
【０００６】
本考案は、蒸気理学療法設備の構造において、使用後に清掃及び滅菌できる蒸気理学療法設備の改良された構造を提供することを主な課題とする。
【課題を解決するための手段】
【０００７】
従来技術の蒸気理学療法装置のトルマリンパッチが取れる、及び内部の清掃に直面する問題及び欠点を解決するために、本考案は蒸気理学療法設備の改良された構造を提供するものである。本考案の該蒸気理学療法設備の筒本体内の上部、中部、台座の内壁は、それぞれ複数の対となるスロットプレートを企画して設け、スロットプレートの間には、別途に作る鉱石ボードを埋め込む。各一つの鉱石ボードには、複数個の隣接するハニカムトラフを企画して設け、且つ各中隔リブは、いずれも貫通孔を設ける。それにより鉱石泥を注入する際、該複数の貫通孔が互いに流通し、互いの構造を繋げて固結する効果を得る。
また、前述の該筒本体の頂部開口に、別途に作る一つの乾燥式滅菌セットを覆設することで、蒸気理学療法設備を使用した後、水で筒本体内の上部、中部、台座を洗ったあと、該乾燥式滅菌セットを覆うことで、乾燥式滅菌セット内部の紫外線滅菌ランプ、熱風排出口、外輪ループ回収エリア設備を介し、紫外線、熱風滅菌及び乾燥を行うことができる。また、理学療法室の筒本体内の上部、中部、台座にある鉱石ボードは分解して洗う、或いは日に当てて滅菌してから、再び乾燥式滅菌セットを被せて乾燥滅菌の作業を行うことができる。
【考案の効果】
【０００８】
本考案の蒸気理学療法設備の改良された構造によれば、使用後、水で筒本体内の上部、中部、台座を洗ったあと、該乾燥式滅菌セットを覆うことで、乾燥式滅菌セット内部の紫外線滅菌ランプ、熱風排出口、外輪ループ回収エリア設備を介し、紫外線、熱風滅菌及び乾燥を行うことができる。
また、理学療法室の筒本体内の上部、中部、台座にある鉱石ボードは分解して洗う、或いは日に当てて滅菌してから、再び乾燥式滅菌セットを被せて乾燥滅菌の作業を行うことができる。該鉱石ボードの各ユニットは剥がれる憂いがなく、更に使用時最良の衛生及び安全性を具有し、全体の使用寿命を延長することができる。
【図面の簡単な説明】
【０００９】
【図１】本考案の最良実施例の構造組立略図である。
【図２】本考案の最良実施例の構造の一部分解略図であり、ハンドルを具有するペダルシートの略図である。
【図３】本考案の最良実施例の構造分解略図である。
【図４】本考案の最良実施例の理学療法室の一部分解略図であり、蒸気発生器、蒸気ライン、蒸気出口、排水口、排水管、ペダルシートの略図である。
【図５】本考案の最良実施例の理学療法室、乾燥式滅菌セットの略図である。
【図６】本考案の最良実施例の理学療法室、敷設する乾燥式滅菌セットの分解略図である。
【図７】本考案の最良実施例の乾燥式滅菌セット、理学療法室の一部断面略図、蒸気発生器、蒸気ライン、蒸気出口、排水口、排水管、ペダルシートの略図である。
【図８】本考案の最良実施例の乾燥式滅菌セットの電源指示ランプ、紫外線滅菌ランプ、熱風排出口、外輪ループ回収エリアの略図である。
【図９】本考案の最良実施例の鉱石ボード正面にあるハニカムトラフ、商標表示エリア、中隔リブ、貫通孔の略図である。
【図１０】本考案の最良実施例の鉱石ボード背面にある商標表示エリア、貫通孔の略図である。
【図１１】本考案の最良実施例の別の形態の鉱石ボード正面にあるハニカムトラフ、商標表示エリア、中隔リブ、貫通孔の略図である。
【図１２】本考案の最良実施例の別の形態の鉱石ボード背面にある商標表示エリア、貫通孔の略図である。
【図１３】本考案の最良実施例の鉱石ボードの断面略図である。
【図１４】本考案の最良実施例の鉱石ボードに鉱石泥を塗った商標表示エリア、中隔リブの略図である。
【考案を実施するための形態】
【００１０】
以下、本考案の蒸気理学療法設備の構造とその特徴および効果を、最良実施例と図面を参照しながら詳細に説明する。
【実施例】
【００１１】
図１から図１４に示すのは、本考案の蒸気理学療法設備の改良された構造の最良実施例の形態である。図に示すように、本考案の蒸気理学療法設備の構造において、主にユーザーが入る筒状の理学療法室１０を設けている。該理学療法室１０の底部に、一つのハンドル４５をつけたペダルシート４４、及び円形に設置した蒸気ライン４１を配置している。該蒸気ライン４１は複数個の内輪蒸気出口４１１及び複数個の外輪蒸気出口４１２を設け、筒型理学療法室１０の台座２０は、上方に筒本体及びラインに合わせて外付けの蒸気発生器４０と組み立てる。
【００１２】
蒸気発生器４０が作る蒸気は、ラインを介して筒状の理学療法室１０台座２０内にある蒸気ライン４１の複数個の内輪蒸気出口４１１及び複数個の外輪蒸気出口４１２に導入する際、該複数個の内輪蒸気出口４１１及び複数個の外輪蒸気出口４１２は複数本の柱を呈し、渦巻状に回転して上昇する状態で蒸気を噴出するため、蒸気は均等に筒状理学療法室１０に分散する。
筒状の理学療法室１０の台座２０の最底部に排水口４２を設け、該排水口４２は排水管４３と合わせて現場の環境に基づき位置を調整できる。該台座２０は高さを調整できるスタンド２１を設けることで、安定して支えることができる。該理学療法室１０の筒本体３０の中部３１には、ユーザーが出入りできる開閉ドアパネル３２を設ける。
また、該筒本体３０の上部３３は、頂部と繋がるよう、斜面の形状に成型することで、ユーザーの頭部が開口３４より出すことができると同時に、蒸気が素早く放出するのを避けることができる。前述の該筒本体３０の上部３３、中部３１、台座２０の内壁は、複数の対となるスロットプレート３５、２２を企画して設けることで、スロットプレート３５、２２の間に、鉱石ボード５０を埋め込む。
【００１３】
該複数の鉱石ボード５０は、筒本体３０の上部３３、中部３１、台座２０の形態に合わせて規格化して作るものである。各鉱石ボード５０には、複数個の隣接するハニカムトラフ５１を企画して設け、更に該複数のハニカムトラフ５１は、商標表示エリア５２にする特定部位を残し、そこに鉱石泥５５を注入しないほか、その他の各相隣するハニカムトラフ５１の各中隔リブ５３は、いずれも貫通孔５４を設ける。それにより鉱石泥５５を注入する際、該複数の貫通孔５４が互いに流通し、互いの構造を繋げて固結する効果を得るため、構造が互いに牽制し、牢固としたものとなる。また、前述の該筒本体３０の上部３３開口３４に、別途に作る一つの乾燥式滅菌セット６０を覆設し、該乾燥式滅菌セット６０の外部に電源スイッチ６１、タイマー６２、電源指示ランプ６３、作動指示ランプ６４を設けてユーザーが操作できる。
【００１４】
内部には紫外線滅菌ランプ６５、熱風排出口６６、外輪ループ回収エリア６７を設け、蒸気理学療法設備を使用した後、水で筒本体内の上部、中部、台座を洗ったあと、該乾燥式滅菌セット６０を覆うことで、乾燥式滅菌セット内部の紫外線滅菌ランプ６５で滅菌し、熱風排出口６６より熱風を排出して乾燥させる。後に外輪ループ回収エリア６７設備を介し、筒内にある熱風を順に回収することで、省エネ、省電力の滅菌及び乾燥の効果に達する。また、理学療法室筒本体３０内の上部３３、中部３１、台座２０にある鉱石ボード５０を分解して清掃、或いは太陽に当てて滅菌し、更に乾燥式滅菌セット６０を覆い、乾燥滅菌の作業を行うことができる。
【００１５】
即ち、本考案の蒸気理学療法設備は、上述の構造であるので、筒本体上部、中部、台座の内壁にあるスロットプレート、及び合わせて別途に製造する鉱石ボードを組み合わせることで、従来技術と同類製品のトルマリンパッチを固定して粘着する形態構造の代わりとする。鉱石ボードの赤外線材質の特性を利用し、蒸気発生器及び蒸気ラインと合わせて蒸気を導入し、蒸気理学療法の機能を行うほか、蒸気理学療法設備を使用後、水で筒本体内の上部、中部、台座を洗い流してから、更に乾燥機滅菌セットを覆い、乾燥機滅菌セット内部の紫外線滅菌ランプ、熱風排出口、外輪ループ回収エリア設備を介し、紫外線、熱風滅菌及び乾燥を行う。
また、理学療法室筒本体内の上部、中部、台座にある鉱石ボードを取り外して清掃、或いは日に当てて滅菌してから乾燥式滅菌セットを被せて乾燥滅菌作業を行うことができる。このようにすれば蒸気理学療法設備を使用する上での衛生及び安全性を維持することができる。従来の蒸気理学療法装置と比べ、トルマリンパッチを貼ることで、掃除が困難及びパッチが剥がれる問題がないほか、使用する際の衛生面及び安全性を維持することができる。
【００１６】
上記を纏めると、本考案の実施例の蒸気理学療法設備の構造は、画期的に鉱石ボードを可動式の嵌め込み構造にすることで、使用後分解して清掃或いは日に当てて滅菌することができる。また、各鉱石ユニットの構造は、互いに連結し、最良の構造安定性があり、外れて損壊する問題がなく、機器の寿命も延ばすことができる。また、乾燥式滅菌セットの使用と合わせ、全体は更に衛生的に且つ安全に使用するニーズに合致し、従来技術の同類製品に存在する問題及び欠点を徹底的に解決することができる。
【符号の説明】
【００１７】
１０  理学療法室           
２０  台座
２１  スタンド            
２２  スロットプレート
３０  筒本体            
３１  中部
３２  ドアパネル
３３  上部
３４  開口            
３５  スロットプレート
４０  蒸気発生器      
４１  蒸気ライン
４１１  内輪蒸気出口
４１２  外輪蒸気出口
４２  排水口
４３  排水管          
４４  ペダルシート
４５  ハンドル
５０  鉱石ボード          
５１  ハニカムトラフ
５２  商標表示エリア      
５３  中隔リブ
５４  貫通孔          
５５  鉱石泥
６０  乾燥式滅菌セット    
６１  電源スイッチ
６２  タイマー          
６３  電源指示ランプ
６４  作動指示ランプ      
６５  紫外線滅菌ランプ
６６  熱風排出口      
６７  外輪ループ回収エリア
【図１】
0003232850.tif 000003
【図２】
0003232850.tif 000004
【図３】
0003232850.tif 000005
【図４】
0003232850.tif 000006
【図５】
0003232850.tif 000007
【図６】
0003232850.tif 000008
【図７】
0003232850.tif 000009
【図８】
0003232850.tif 000010
【図９】
0003232850.tif 000011
【図１０】
0003232850.tif 000012
【図１１】
0003232850.tif 000013
【図１２】
0003232850.tif 000014
【図１３】
0003232850.tif 000015
【図１４】
0003232850.tif 000016